(57)【要約】【課題】ユーザの移動に応じて、それぞれの動画像の自動撮影を適切なタイミングで行うこと。【解決手段】管理部１０１は、音声入力装置を携行するユーザの現在位置を特定し、特定した現在位置を示す位置情報を管理し、検出部１０２は、位置情報に基づいて、複数のカメラの撮影対象エリアの何れかへのユーザの侵入を検出し、制御部１０３は、ユーザの侵入が検出されたタイミングにおいて、ユーザの侵入が検出された撮影対象エリアに対応するカメラが撮影した動画データの取得を開始し、当該ユーザが携行する音声入力装置が録音した音声データの取得を開始し、合成部１０４は、動画データと音声データとを合成して合成データを生成し、蓄積部１０５は、合成データと、ユーザのユーザＩＤとを関連付けて保存する。【選択図】図２
2016171382.tif 000002
【特許請求の範囲】
【請求項１】
音声入力装置を携行するユーザの現在位置を特定し、特定した現在位置を示す位置情報を管理する管理部と、
前記位置情報に基づいて、複数のカメラの撮影対象エリアの何れかへの前記ユーザの侵入を検出する検出部と、
前記ユーザの侵入が検出された撮影対象エリアに対応するカメラが撮影した動画データと、当該ユーザが携行する音声入力装置からの音声データとを合成して合成データを生成する合成部と、
前記合成データと、前記ユーザのユーザＩＤとを関連付けて保存する蓄積部と、
を具備するサーバ装置。
【請求項２】
前記合成部は、前記ユーザが異なる撮影対象エリア間を移動した場合、移動元の撮影対象エリアに対応するカメラの動画データから移動先の撮影対象エリアに対応するカメラの動画データに切り替える、
請求項１に記載のサーバ装置。
【請求項３】
ユーザが乗り物に乗車して予め設定された進路を移動する場合
前記検出部は、前記ユーザが乗車した乗り物の位置情報に基づいてユーザの位置を検出する、
請求項１または請求項２に記載のサーバ装置。
【請求項４】
前記カメラは移動機能を有し、
前記検出部は、カメラの移動に応じて変化する撮影対象エリアに基づいて前記ユーザの侵入を検出する、
請求項１から請求項３のいずれかに記載のサーバ装置。
【請求項５】
複数のユーザが１つのグループにグループ化され、
前記合成部は、グループ内の複数のユーザがそれぞれ携行する音声入力装置から送信された複数の音声データと、当該撮影対象エリアに対応するカメラから送信された動画データとを合成して合成データを生成し、
前記蓄積部は、前記合成データと、前記グループのグループＩＤとを関連付けて保存する、
請求項１から請求項４のいずれかに記載のサーバ装置。
【請求項６】
複数のユーザが１つのグループにグループ化され、
前記グループ内の複数のユーザのうち、第１の撮影対象エリアに位置する少なくとも１人のユーザのユーザＩＤに関連付けられた前記合成データを、前記第１の撮影対象エリアに位置していない他のユーザが携行する再生装置へ配信する配信部、を更に具備する、
請求項１から請求項５のいずれかに記載のサーバ装置。
【請求項７】
前記検出部は、更に、前記ユーザの現在位置に基づいて、配信エリアへの前記ユーザの侵入を検出し、
前記配信エリアへのユーザの侵入が検出された場合、当該ユーザのユーザＩＤに関連付けられた前記合成データを、前記配信エリア内の再生装置へ配信する配信部、を更に具備する、
請求項１から請求項６のいずれかに記載のサーバ装置。
【請求項８】
ユーザが携行する音声入力装置と、
各々が撮影対象エリアを有する複数のカメラと、
前記音声入力装置が録音した音声データと、前記複数のカメラが撮影した動画データとを合成して合成データを生成し、前記合成データをユーザ毎に保存するサーバ装置と、を具備する自動撮影システムであって、
前記サーバ装置は、
前記ユーザの現在位置を特定し、特定した現在位置を示す位置情報を管理し、
前記位置情報に基づいて、前記複数のカメラの撮影対象エリアの何れかへの前記ユーザの侵入を検出し、
前記ユーザの侵入が検出された撮影対象エリアに対応するカメラからの前記動画データと、当該ユーザが携行する音声入力装置からの前記音声データとを合成して前記合成データを生成し、
前記合成データと、前記ユーザのユーザＩＤとを関連付けて保存する、
自動撮影システム。
【請求項９】
音声入力装置を携行するユーザの現在位置を特定し、特定した現在位置を示す位置情報を管理し、
前記位置情報に基づいて、複数のカメラの撮影対象エリアの何れかへの前記ユーザの侵入を検出し、
前記ユーザの侵入が検出された撮影対象エリアに対応するカメラが撮影した動画データと、当該ユーザが携行する音声入力装置からの音声データとを合成して合成データを生成し、
前記合成データと、前記ユーザのユーザＩＤとを関連付けて保存する、
自動撮影方法。
【発明の詳細な説明】
【技術分野】
【０００１】
本開示は、サーバ装置、自動撮影システム及び自動撮影方法に関する。
【背景技術】
【０００２】
行楽施設又は観光地等におけるサービスの一環として、来場者を所定の箇所から自動撮影し、来場者に対して撮影した写真を記念として販売するサービスが実施されている。このようなサービスは、カメラのタイマ及び三脚を使用しなくてもグループで来場したメンバー全員が同時に被写体となれること、又は、来場者が通常撮影できないようなアングルからの撮影が可能となること等のメリットがある。
【０００３】
上述したサービスにおいて被写体を撮影する具体的な方法として、特許文献１には、来場者が所持している電子機器から発信される識別情報を撮影装置が取得し、当該識別情報と撮影画像とを対応付けて記憶し、当該識別情報をキーとして記憶された撮影画像を検索して表示する技術が開示されている。
【０００４】
また、特許文献２には、ユーザが移動した位置情報に応じて、固定カメラで撮影された映像の中から、当該ユーザが写っている可能性のある画像を検索し、ユーザに提供する技術が開示されている。
【０００５】
ところで、上述のようなサービスを写真のような静止画像のみでなく、ビデオ映像などの動画像についても行う場合には、撮影装置が撮影した動画データに加え、被写体の音声を明瞭に再生できるように録音する必要がある。特許文献３には、被写体となるユーザがワイヤレスマイクを装着し、このワイヤレスマイクから送信された音声データが撮影装置に送信され、音声データと動画データとが同時に記録される技術が開示されている。
【先行技術文献】
【特許文献】
【０００６】
【特許文献１】特開２００２−１１２０７４号公報
【特許文献２】特許第５５５２４５４号公報
【特許文献３】特開２００６−３１４０７８号公報
【発明の概要】
【発明が解決しようとする課題】
【０００７】
行楽施設又は観光地では、来場者が複数の撮影エリアに移動することが想定される。しかしながら、上記従来技術には、ビデオ映像の自動撮影を行う際にそれぞれのエリアへのユーザの移動を考慮したユーザごとの録画の開始及び終了のタイミングの決定方法及びユーザごとの音声録音については検討されていない。
【０００８】
本開示の一態様は、ユーザの移動に応じて、それぞれの動画像の自動撮影を適切なタイミングで行うことができるサーバ装置、自動撮影システム及び自動撮影方法を提供することである。
【課題を解決するための手段】
【０００９】
本開示の一態様に係るサーバ装置は、音声入力装置を携行するユーザの現在位置を特定し、特定した現在位置を示す位置情報を管理する管理部と、前記位置情報に基づいて、複数のカメラの撮影対象エリアの何れかへの前記ユーザの侵入を検出する検出部と、前記ユーザの侵入が検出された撮影対象エリアに対応するカメラが撮影した動画データと、当該ユーザが携行する音声入力装置からの音声データとを合成して合成データを生成する合成部と、前記合成データと、前記ユーザのユーザＩＤとを関連付けて保存する蓄積部と、を具備する構成を採る。
【００１０】
本開示の一態様に係る自動撮影システムは、ユーザが携行する音声入力装置と、各々が撮影対象エリアを有する複数のカメラと、前記音声入力装置が録音した音声データと、前記複数のカメラが撮影した動画データとを合成して合成データを生成し、前記合成データをユーザ毎に保存するサーバ装置と、を具備する自動撮影システムであって、前記サーバ装置は、前記ユーザの現在位置を特定し、特定した現在位置を示す位置情報を管理し、前記位置情報に基づいて、前記複数のカメラの撮影対象エリアの何れかへの前記ユーザの侵入を検出し、前記ユーザの侵入が検出された撮影対象エリアに対応するカメラからの前記動画データと、当該ユーザが携行する音声入力装置からの前記音声データとを合成して前記合成データを生成し、前記合成データと、前記ユーザのユーザＩＤとを関連付けて保存する構成を採る。
【００１１】
本開示の一態様に係る自動撮影方法は、音声入力装置を携行するユーザの現在位置を特定し、特定した現在位置を示す位置情報を管理し、前記位置情報に基づいて、複数のカメラの撮影対象エリアの何れかへの前記ユーザの侵入を検出し、前記ユーザの侵入が検出された撮影対象エリアに対応するカメラが撮影した動画データと、当該ユーザが携行する音声入力装置からの音声データとを合成して合成データを生成し、前記合成データと、前記ユーザのユーザＩＤとを関連付けて保存する。
【発明の効果】
【００１２】
本開示の一態様によれば、動画像の自動撮影を適切なタイミングで行うことができる。
【図面の簡単な説明】
【００１３】
【図１】一実施の形態に係る自動撮影システムの構成例を示す図
【図２】一実施の形態に係るサーバ装置の構成を示すブロック図
【図３】一実施の形態に係る自動撮影処理の動作例を示すシーケンス図
【図４】一実施の形態のバリエーション１に係る自動撮影処理の説明に供する図
【図５】一実施の形態のバリエーション２に係るグループＩＤとユーザＩＤとの対応付けの一例を示す図
【図６】一実施の形態のバリエーション２に係る同一グループの複数のユーザに対する自動撮影処理の説明に供する図
【図７】一実施の形態のバリエーション３に係るグループ内の他エリアに位置するユーザへの配信処理の説明に供する図
【図８】一実施の形態のバリエーション４に係る特定エリアでの自動配信処理の説明に供する図
【発明を実施するための形態】
【００１４】
以下、本開示の実施の形態について図面を参照して詳細に説明する。
【００１５】
［自動撮影システムの概要］
図１は、本実施の形態に係る自動撮影システムの構成例を示す。
【００１６】
図１に示す自動撮影システム１０は、サーバ装置１００、複数の撮影装置（カメラ）２００、端末装置３００、ネットワーク４００を含む構成を採る。
【００１７】
サーバ装置１００と各カメラ２００（図１ではＮ個）とはネットワーク４００を介して接続されている。また、端末装置３００は、無線通信によってネットワーク４００を介してサーバ装置１００と接続される。
【００１８】
以下では、自動撮影システム１０を利用するユーザは、端末装置３００を携行しているものとする。
【００１９】
また、自動撮影システム１０を利用するユーザには、ユーザの現在位置を示す位置情報をサーバ装置１００が管理できるようにするための発信機（以下、ビーコンと呼ぶ）が貸与されるものとする（図示せず）。例えば、ビーコンは、定期的に位置情報を発信する。ユーザの位置情報は、ビーコンから直接送信されてもよく、端末装置３００を介して送信されてもよい。また、ビーコンから発信された機器情報を、位置情報を有する受信器が受信することにより、サーバ装置１００がこの機器情報と対応付けられた当該ユーザの位置情報を管理できるようにしてもよい。
【００２０】
また、自動撮影システム１０を利用するユーザには、ユーザの音声を入力するための音声入力装置（マイク）が貸与されるものとする（図示せず）。音声入力装置に入力された音声データは、例えば、端末装置３００を介して送信されてもよく、ユーザの周辺に設置された無線受信機を介してサーバ装置１００へ送信されてもよい。また、音声入力装置自身が無線機能を有し、音声データをサーバ装置１００へ直接送信してもよい。さらに、音声入力装置は、録音機能を有し、リアルタイムの音声送信のみならず、録音完了後の音声ファイルを送信する機能を有してもよい。
【００２１】
例えば、上述したビーコン及び音声入力装置は、自動撮影システム１０による自動撮影サービスが適用される施設へユーザが入場する際に貸与され、当該施設からユーザが退場する際に返却される。例えば、ビーコン及び音声入力装置の機器情報（機器ＩＤ等）は、貸与されたユーザのユーザＩＤと対応付けられて、サーバ装置１００に格納される。
【００２２】
なお、ビーコン及び音声入力装置は別々に貸与されてもよく、ビーコンと音声入力装置とがバッテリーも含め一体の機器となっていてもよい。さらに、ビーコン及び音声入力装置は、当該行楽施設のキャラクター又はイメージにちなんだ装飾品と一体となっていてもよい。
【００２３】
端末装置３００は、各種アプリケーションをインストール可能である。例えば、ユーザは、自動撮影システム１０を利用する前に、自動撮影システム１０における各種操作を行うためのアプリケーションを端末装置３００にインストールする。端末装置３００にインストールされるアプリケーションの機能として、例えば、音声入力装置に入力された音声データの送信処理、ユーザ操作による撮影開始及び終了の指示、及び、ユーザ操作による、撮影されたビデオデータの視聴などが挙げられる。
【００２４】
サーバ装置１００は、自動撮影処理の制御を行う。図１に示すサーバ装置１００は、管理装置１５０及び蓄積装置１６０を含む。管理装置１５０は、自動撮影システム１０を利用するユーザの位置情報、及び、各カメラ２００の撮影エリアを示す位置情報を管理する。蓄積装置１６０は、各ユーザに対して、カメラ２００から送信される動画データ、及び、各音声入力装置から送信される音声データを合成し、当該ユーザのユーザＩＤと合成データとを対応付けて記憶する。
【００２５】
また、以下では、ユーザに対して自動撮影サービスの提供が行われる１つの撮影空間である「撮影スポット」が施設内に設けられているものとする。１つの撮影スポットは、例えば、１つのアトラクションにおけるユーザの移動範囲に応じて設定される。
【００２６】
各カメラ２００は、施設内の撮影スポットに設置される。また、各カメラ２００は、それぞれの撮影対象である「撮影対象エリア２１０」を有する。撮影対象エリア２１０には、カメラ２００が実際に撮影可能なエリアのみでなく、カメラ２００の死角となるエリアが含まれてもよい。例えば、１つの撮影対象エリア２１０内において、カメラ２００の死角に位置するユーザが、カメラ２００の撮影可能エリアに移動する様子をカメラ２００が撮影することが想定される。
【００２７】
また、例えば、１つの撮影スポットには、１つ又は複数のカメラ２００が設置される。カメラ２００は、サーバ装置１００（管理装置１５０）からの指示に従って起動・停止し、撮影した動画データをネットワーク４００を介してサーバ装置１００（蓄積装置１６０）へ送信する。
【００２８】
また、撮影スポット、及び、撮影対象エリア２１０には、各々を識別するためのＩＤ（撮影スポットＩＤ、撮影対象エリアＩＤ）がそれぞれ付される。サーバ装置１００（管理装置１５０）は、撮影スポットＩＤと、当該撮影スポットＩＤに対応する撮影スポットに含まれる撮影対象エリア２１０の撮影エリアＩＤとを対応付けて管理する。
【００２９】
例えば、１つの撮影スポットに１つのカメラ２００の撮影対象エリア２１０のみが含まれる場合、サーバ装置１００（蓄積装置１６０）は、当該撮影スポットの撮影スポットＩＤに対応付けられた撮影対象エリアＩＤの撮影対象エリア２１０で撮影された動画データを１つの映像として記録する。
【００３０】
また、１つの撮影スポットに複数のカメラ２００の撮影対象エリア２１０が含まれる場合、サーバ装置１００（蓄積装置１６０）は、当該撮影スポットの撮影スポットＩＤに対応付けられた複数の撮影対象エリアＩＤの撮影対象エリア２１０でそれぞれ撮影された動画データを１つの映像として記録する。
【００３１】
［サーバ装置１００の構成］
図２は、本実施の形態に係るサーバ装置１００の構成を示すブロック図である。図２において、サーバ装置１００は、管理部１０１、検出部１０２、制御部１０３、合成部１０４、蓄積部１０５を含む構成を採る。
【００３２】
なお、管理部１０１、検出部１０２及び制御部１０３は、管理装置１５０を構成し、合成部１０４及び蓄積部１０５は、蓄積装置１６０を構成する。
【００３３】
管理部１０１は、ユーザの現在位置を特定し、特定した現在位置を示す位置情報を管理する。具体的には、管理部１０１は、ネットワーク４００を介してユーザ（端末装置３００又はビーコン）から位置情報を受信し、受信したユーザの位置情報を管理する。例えば、管理部１０１は、ユーザが位置する所在地、当該所在地に位置した日時が対応付けられた行動情報をユーザ毎に管理する。また、管理部１０１は、各カメラ２００の撮影対象エリア２１０の位置情報を示す撮影エリア情報を予め保持する。
【００３４】
検出部１０２は、管理部１０１が保持する位置情報、及び、カメラ２００の撮影エリア情報を参照して、複数のカメラ２００の撮影対象エリア２１０の何れかへのユーザの侵入、及び、カメラ２００の撮影対象エリア２１０外へのユーザの移動を検出する。例えば、検出部１０２は、ユーザの位置情報がカメラ２００の撮影対象エリア２１０に対応する位置情報と一致する場合、当該ユーザが当該カメラ２００の撮影対象エリア２１０内に位置すること（エリア内への侵入）を検出する。また、検出部１０２は、その後、ユーザの位置情報がカメラ２００の撮影対象エリア２１０に対応する位置情報と一致しない場合、当該ユーザが当該カメラ２００の撮影対象エリア２１０外に移動したこと（エリア外への移動）を検出する。
【００３５】
制御部１０３は、検出部１０２の検出結果に基づいて、何れのカメラ２００から送信される動画データを各ユーザに対して記録するかを制御する。また、制御部１０３は、カメラ２００から送信される動画データ、及び、ユーザが携行する音声入力装置で生成された音声データの記録開始／終了を制御する。制御部１０３は、動画データ及び音声データの記録を開始するユーザに対応した映像記録情報を合成部１０４へ出力する。映像記録情報には、少なくとも、ユーザＩＤ、及び、ユーザの侵入が検出された撮影対象エリア２１０の撮影対象エリアＩＤ、及び、当該撮影対象エリアＩＤに対応付けられた撮影スポットＩＤが含まれている。
【００３６】
例えば、制御部１０３は、検出部１０２においてユーザの侵入が検出された撮影エリアに対応するカメラ２００に対してカメラ起動を指示し、撮影を開始させる。これにより、当該カメラ２００からサーバ装置１００に対して動画データが送信される。その後、検出部１０２において当該カメラ２００の撮影エリアからのユーザの移動が検出された場合、制御部１０３は、当該カメラ２００に対して撮影停止を指示する。
【００３７】
また、制御部１０３は、何れの撮影対象エリア２１０にも位置していないユーザによる或るカメラ２００の撮影対象エリア２１０への侵入が検出された場合、当該ユーザの音声入力装置に対して、サーバ装置１００における映像記録の開始を示す「記録開始通知」を送信する。これにより、当該音声入力装置からサーバ装置１００に対して音声データが送信される。また、制御部１０３は、何れかのカメラ２００の撮影対象エリア２１０からのユーザの移動であって、全ての撮影対象エリア２１０外への移動が検出された場合、当該ユーザの音声入力装置に対して、サーバ装置１００における映像記録の終了を示す「記録停止通知」を送信する。制御部１０３は、上記記録開始通知及び記録停止通知を合成部１０４にも出力する。
【００３８】
合成部１０４は、カメラ２００からネットワーク４００を介して動画データを受信し、音声入力装置からの音声データをネットワーク４００を介して受信する。ここでは、動画データには、当該動画データを撮影したカメラ２００の撮影対象エリアＩＤが付加されており、音声データには、当該音声入力装置を携行するユーザのユーザＩＤが関連付けられている。
【００３９】
合成部１０４は、制御部１０３から受け取る映像記録情報に基づいて、カメラ２００からネットワーク４００を介して受信する動画データと、音声入力装置からネットワーク４００を介して受信する音声データとを合成し、ユーザ毎のビデオデータ（合成データ）を生成する。具体的には、合成部１０４は、映像記録情報に含まれる撮影対象エリアＩＤのカメラ２００から送信された動画データと、映像記録情報に含まれるユーザＩＤに関連付けられた音声データと、を合成し、当該ユーザＩＤのビデオデータを生成する。
【００４０】
また、合成部１０４は、制御部１０３から記録開始通知を受け取ってから、記録停止通知を受け取るまでの間の期間において、同一の撮影スポットＩＤに対応付けられる１つ又は複数の撮影対象エリアＩＤのカメラ２００から送信された動画データを、１つの映像として上記合成処理を行う。すなわち、合成部１０４は、ユーザ毎、かつ、撮影スポット毎に１つのビデオデータを生成する。
【００４１】
蓄積部１０５は、合成部１０４において生成されたビデオデータをユーザ毎に記憶する。すなわち、蓄積部１０５は、ユーザ毎の合成データと、当該ユーザのユーザＩＤとを関連付けて保存する。
【００４２】
［自動撮影処理］
以上の構成を有する自動撮影システム１０における自動撮影処理の動作について説明する。
【００４３】
図３は、自動撮影システム１０における自動撮影処理の動作を示すシーケンス図である。図３は、端末装置３００、ビーコン及び音声入力装置を携行するユーザ１が１つの撮影スポット１（例えば、１つのアトラクション）を移動する場合の動作を示す。
【００４４】
撮影スポット１には、カメラＡ（カメラ２００）の撮影対象エリア２１０及びカメラＢ（カメラ２００）の撮影対象エリア２１０が含まれる。
【００４５】
ステップ（以下、単に「ＳＴ」と表す）１０１では、ユーザ１が保持するビーコンは、サーバ装置１００の管理装置１５０に対してユーザ１の現在位置を示す位置情報を送信する。なお、ビーコンによる位置情報の送信は定期的に行われるものとする（例えば、後述するＳＴ１１２及びＳＴ１１９を含む）。
【００４６】
なお、図３では、ＳＴ１０１におけるユーザ１の位置情報の送信時には、ユーザ１はカメラＡの撮影対象エリア２１０内に位置しているものとする。
【００４７】
ＳＴ１０２では、管理装置１５０は、ＳＴ１０１で受け取った位置情報に基づいて、カメラＡの撮影対象エリア２１０へのユーザ１の侵入を検出する。
【００４８】
ＳＴ１０３では、管理装置１５０は、ユーザ１の音声入力装置及びカメラＡに対して、サーバ装置１００による記録開始通知を送信する。ＳＴ１０４では、管理装置１５０は、ユーザ１の位置情報と、当該位置情報を取得した日時とを対応付けて格納する。ＳＴ１０５では、管理装置１５０は、ユーザ１の映像記録情報及び記録開始通知を蓄積装置１６０へ出力する。図３に示す映像記録情報には、例えば、ユーザ１のユーザＩＤ、カメラＡの撮影対象エリアＩＤ、及び、撮影スポット１の撮影スポットＩＤが含まれる。
【００４９】
カメラＡは、記録開始通知を受け取ると（ＳＴ１０３）、ＳＴ１０６において撮影機能を起動させ（カメラ起動）、ＳＴ１０７において動画データを（例えば、端末装置３００を介して）蓄積装置１６０へ送信する。カメラＡは、カメラ切替又は記録停止の指示を受け取るまで動画データの送信を継続する。
【００５０】
ユーザ１が保持する音声入力装置は、記録開始通知を受け取ると（ＳＴ１０３）、ＳＴ１０８において音声入力機能を起動させ、音声データのサーバ装置１００への送信を開始し、ＳＴ１０９において音声データを蓄積装置１６０へ送信する。音声入力装置は、記録停止通知を受け取るまで音声データの送信を継続する。
【００５１】
蓄積装置１６０は、記録開始通知を受け取ると（ＳＴ１０５）、ＳＴ１１０においてユーザのビデオ記録を開始する。
【００５２】
すなわち、ＳＴ１１１では、蓄積装置１６０は、ＳＴ１０５で受け取ったユーザ１の映像記録情報に従って、ＳＴ１０７においてカメラＡから送信される動画データと、ＳＴ１０９において音声入力装置から送信される音声データとを合成し、ユーザ１の撮影スポット１でのビデオデータを生成する。
【００５３】
このように、自動撮影システム１０では、カメラ２００の撮影対象エリア２１０へのユーザの侵入が検出されたタイミングが、当該ユーザが保持する音声入力装置から送信される音声データ及びカメラ２００から送信される動画データの記録開始のタイミングとして使用される。つまり、蓄積装置１６０は、撮影対象エリア２１０へのユーザの侵入が検出されたタイミングにおいて、ユーザの侵入が検出された撮影対象エリア２１０に対応するカメラ２００が撮影した動画データの記録を開始し、当該ユーザが携行する音声入力装置が録音した音声データの記録を開始する。
【００５４】
図３に戻り、ＳＴ１１２では、ユーザ１が保持するビーコンは、サーバ装置１００の管理装置１５０に対してユーザ１の現在位置を示す位置情報を送信する。
【００５５】
なお、図３では、ＳＴ１１２におけるユーザ１の位置情報の送信時には、ユーザ１はカメラＢの撮影対象エリア２１０内に移動しているものとする。
【００５６】
ＳＴ１１３では、管理装置１５０は、ＳＴ１１２で受け取った位置情報と、当該位置情報を取得した日時とを対応付けて格納する。
【００５７】
ＳＴ１１４では、管理装置１５０は、ＳＴ１１２で受け取ったユーザ１の位置情報に基づいて、カメラＢの撮影対象エリア２１０へのユーザ１の侵入を検出する。換言すると、管理装置１５０は、カメラＡの撮影対象エリア２１０外へのユーザ１の移動を検出する。
【００５８】
ＳＴ１１５では、管理装置１５０は、起動中であるカメラＡ及びユーザ１の侵入が検出された撮影対象エリア２１０のカメラＢに対して、撮影するカメラの切替を指示するためのカメラ切替通知を送信する。これにより、ＳＴ１１６では、カメラＡは撮影機能を停止する。また、ＳＴ１１７では、カメラＢは、撮影機能を起動させ（カメラ起動）、音声データのサーバ装置１００への送信を開始し、ＳＴ１１８において音声データを蓄積装置１６０へ送信する。カメラＢは、カメラ切替通知又は記録停止通知を受け取るまで動画データの送信を継続する。なお、カメラＡにおける撮影機能停止は、カメラＢのカメラ起動（動作データ送信）が開始された後のタイミングで実施されてもよい。
【００５９】
以上により、蓄積装置１６０は、ＳＴ１１１において、ユーザ１に対する映像記録の対象を、カメラＡから送信される動画データ（ＳＴ１０７）から、カメラＢから送信される映像データ（ＳＴ１１８）へ切り替える。つまり、蓄積装置１６０は、ＳＴ１１８において、カメラＢから送信される動画データと、ＳＴ１０９において音声入力装置から継続して送信される音声データとを合成し、ユーザ１のビデオデータを生成する。
【００６０】
なお、カメラＡ及びカメラＢの双方の撮影対象エリア２１０は、同一の撮影スポット１内に含まれるので、カメラＢの動画データを用いて生成されたビデオデータは、カメラＡの動画データを用いて生成されたビデオデータと結合されて記憶される。これにより、当該ビデオデータは、カメラＡからカメラＢへカメラアングルが切り替えられた映像となる。
【００６１】
図３に戻り、ＳＴ１１９では、ユーザ１が保持するビーコンは、サーバ装置１００の管理装置１５０に対してユーザ１の現在位置を示す位置情報を送信する。
【００６２】
なお、図３では、ＳＴ１１９におけるユーザ１の位置情報の送信時には、ユーザ１はカメラＢの撮影対象エリア２１０外であり、何れのカメラ２００の撮影対象エリア２１０にも属さない位置に移動しているものとする。
【００６３】
ＳＴ１２０では、管理装置１５０は、ＳＴ１１９で受け取った位置情報と、当該位置情報を取得した日時とを対応付けて格納する。
【００６４】
ＳＴ１２１では、管理装置１５０は、ＳＴ１１９で受け取ったユーザ１の位置情報に基づいて、カメラＢの撮影対象エリア２１０外へのユーザ１の移動を検出する。
【００６５】
ＳＴ１２２では、管理装置１５０は、起動中であるカメラＢ、及び、ユーザ１が保持する音声入力装置に対して記録停止通知を送信する。これにより、ＳＴ１２３では音声入力装置が音声データの送信を停止し、ＳＴ１２４ではカメラＢは撮影を停止する。
【００６６】
ＳＴ１２５では、管理装置１５０は、蓄積装置１６０に対して、ユーザ１のビデオの記録停止を通知する。これにより、ＳＴ１２６では、蓄積装置１６０は、ユーザ１のビデオ記録を停止する。
【００６７】
このように、自動撮影システム１０では、ユーザがカメラ２００の撮影対象エリア２１０外に移動したことが検出された場合、当該ユーザのビデオデータの記録は停止される。
【００６８】
以上、自動撮影システム１０における自動撮影処理の動作について説明した。
【００６９】
上述した方法によって作成されたビデオデータは、ユーザが視聴可能な状態で蓄積装置１６０に保存される。例えば、施設内にいるユーザは、録画された様子を確認するために、端末装置３００を操作して、ネットワークを介して蓄積装置１６０に接続して、記録されたビデオデータを視聴してもよい。又は、帰宅後など、施設外にいるユーザは、インターネット（図示せず）を介して蓄積装置１６０（又は、Ｗｅｂサーバ）にアクセスして、記録されたビデオデータを視聴してもよく、又は、ダウンロードしてもよい。また、記録されたユーザごとのビデオデータを記録メディアに複製し、そのユーザが施設からの退出（貸与されていた音声入力装置等を返却）する際に、有償又は無償で、その記録メディアをユーザに譲渡してもよい。
【００７０】
このようにして、本実施の形態では、管理装置１５０は、ユーザの位置情報に基づいて、撮影対象エリア２１０へのユーザの侵入を検出することにより、当該ユーザに対する自動撮影の開始及び終了のタイミングを制御する。また、管理装置１５０は、撮影対象エリア２１０間を移動するユーザの位置情報に基づいて、ユーザを撮影するカメラ２００を切り替える。また、管理部１５０は、ユーザが撮影対象エリア２１０間を移動する場合でも、音声入力装置からの音声データの取得を継続する。
【００７１】
こうすることで、本実施の形態では、ユーザが複数の撮影対象エリア２１０を移動する場合でも、ユーザの各撮影対象エリア２１０への移動に応じて、各カメラ２００による撮影の開始及び終了の切替タイミングを適切に設定することができる。これにより、本実施の形態によれば、ビデオ映像の自動撮影を行う際、複数の撮影対象エリア２１０へのユーザの移動を考慮して、録画の開始及び終了、及び、音声録音のタイミングをユーザ毎に決定することができる。
【００７２】
なお、上記説明では、サーバ装置１００が、ユーザの撮影対象エリア２１０内への侵入・退出によって、ビデオデータ記録の開始・終了を自動制御する場合について説明した。しかし、本実施の形態では、サーバ装置１００が撮影対象エリア２１０内への侵入によって撮影可能になった状態のみをユーザに通知し、ユーザの保持する端末装置３００にインストールされたアプリケーションによって、ユーザが、ビデオデータ記録の開始・終了をサーバ装置１００へ指示できるようにしてもよい。例えば、ユーザは、カメラ２００の撮影対象エリア２１０外にユーザ自身が移動する前に撮影の終了を指示し、サーバ装置１００は、ユーザの指示に従って撮影を終了してもよい。これにより、ユーザは撮影のタイミングを自身で決定することができる。
【００７３】
上記実施の形態では、カメラ２００がサーバ装置１００の指示に従って、撮影機能の起動、及び、撮影停止を実施する場合について説明したが、カメラ２００は、常時撮影し、サーバ装置１００に対して動作データを常時送信してもよい。この場合、サーバ装置１００は、ユーザの侵入が検出された撮影対象エリア２１０に応じて、何れのカメラ２００から送信された動作データを合成処理に用いるかを切り替えればよい。また、この場合、上述したようなサーバ装置１００からカメラ２００への記録開始通知、カメラ切替通知、及び記録停止通知（図３のＳＴ１０３、ＳＴ１１５、ＳＴ１２２）は不要となる。
【００７４】
また、上記実施の形態では、音声入力装置がサーバ装置１００の指示に従って、音声データの送信開始・終了を実施する場合について説明したが、音声入力装置は、サーバ装置１００に対して音声データを常時送信してもよい。この場合、サーバ装置１００は、撮影対象エリア２１０への侵入が検出されたユーザのユーザＩＤに対応する音声データを選択して、録音の開始・終了を実施すればよい。また、この場合、上述したようなサーバ装置１００から音声入力装置への記録開始通知及び記録停止通知（図３のＳＴ１０３、ＳＴ１２２）は不要となる。
【００７５】
また、上記説明では、蓄積装置１６０が、管理装置１５０からの指示に従って、カメラ２００から送信される映像の録画開始及び録画終了を判断する場合について説明した。これに対して、蓄積装置１６０は、カメラ２００の各々から送信される映像を常時録画し、一つの動画ファイルとして保持してもよい。同様に、蓄積装置１６０は、各音声入力装置から送信される音声を常時録音し、一つの音声ファイルとして保持してもよい。この場合、リアルタイムでの合成にかかわらず、蓄積装置１６０は、ユーザが撮影対象エリアに侵入した時間軸の情報に従って、当該撮影対象エリアに対応するカメラの映像と音声の一部を切り出し、ユーザ毎に合成することにより、ユーザ毎のビデオを作成することができる。なお、カメラ映像については、常時録画したファイルから必要部分を切り出し、音声については都度送信した音声データを合成するという組合せなど、様々なバリエーションが認められることはいうまでもない。
【００７６】
［バリエーション１］
バリエーション１では、ユーザがジェットコースター等の乗り物に乗車した場合などのように、予め設定された進路を移動する場合における自動撮影方法について説明する。
【００７７】
ジェットコースター等の乗り物は進路が予め設定されている。このため、乗り物の位置を特定することにより、乗り物に乗車したユーザの位置についても容易に特定できる。
【００７８】
そこで、バリエーション１では、サーバ装置１００（検出部１０２）は、ユーザが乗り物に乗車して予め設定された進路を移動する場合、ユーザが乗車した乗り物の位置情報に基づいてユーザの位置を検出する。すなわち、サーバ装置１００は、撮影スポット（特定のエリア）において、ユーザの侵入の代わりに、撮影スポット内の複数のカメラの撮影対象エリアの何れかへの乗り物の侵入を検出する。
【００７９】
そして、サーバ装置１００（制御部１０３）は、乗り物の侵入が検出されたタイミングにおいて、乗り物の侵入が検出された撮影対象エリアに対応するカメラが撮影した動画データの録画を開始する。つまり、サーバ装置１００は、ユーザが乗車している乗り物の移動に応じて、ユーザを撮影するカメラを切り替える。一方、サーバ装置１００は、ユーザが乗車している乗り物が移動している間も、ユーザが携行する音声入力装置から送信される音声データの録音を継続する。
【００８０】
図４は、ユーザが乗車した乗り物が所定の進路を移動する施設における自動撮影処理の説明に供する図である。
【００８１】
図４に示す撮影スポット２は、ユーザが乗り物に乗車して予め設定された進路を移動するエリアである。撮影スポット２には、カメラ２００−１の撮影対象エリア２１０−１、カメラ２００−２の撮影対象エリア２１０−２、及び、カメラ２５０−１〜２５０−Ｍの撮影対象エリアが含まれる。すなわち、撮影スポット２の撮影スポットＩＤと、これらの撮影対象エリアの撮影対象エリアＩＤとが予め対応付けられている。
【００８２】
また、図４に示すカメラ２００−１の撮影対象エリア２１０−１は乗車位置を含み、カメラ２００−２の撮影対象エリア２１０−２は降車位置を含む。つまり、ユーザは、乗車位置において乗り物に乗車し、所定の進路を通過して降車位置で乗り物から降りる。なお、乗り物の乗車位置及び降車位置は同一の撮影対象エリアに存在してもよい。
【００８３】
また、乗り物が移動する所定の進路には、カメラ２５０−１〜カメラ２５０−Ｍの撮影対象エリアが含まれる。
【００８４】
なお、ユーザが保持するビーコンは、上記実施の形態と同様、定期的にユーザの位置情報を含む位置情報をサーバ装置１００へ送信する。また、図４に示す乗り物には、ビーコンが備えられ、乗り物ＩＤと、乗り物の現在位置を示す位置情報とが定期的にサーバ装置１００へ送信される。
【００８５】
サーバ装置１００（管理装置１５０）は、ユーザが保持するビーコンから送信される位置情報に基づいて、撮影対象エリア２１０−１（乗車位置）へのユーザの侵入を検出すると、映像記録情報として、ユーザが侵入したエリアに対応する施設の乗り物を表すＩＤ（以下、乗り物ＩＤと呼ぶ）を格納する。これにより、映像記録情報において、ユーザＩＤと、ユーザが乗車する乗り物ＩＤとが対応付けられる。
【００８６】
サーバ装置１００（管理装置１５０）は、乗車位置に対応する撮影対象エリア２１０−１へのユーザの侵出を検出すると、以降、ユーザの侵入の検出の代わりに、乗り物に備えられたビーコンから送信される位置情報に基づいて、カメラ２５０の撮影対象エリアへの乗り物の侵入を検出する。そして、サーバ装置１００は、乗り物の進入が検出された撮影対象エリアに対応するカメラ２５０から送信される動画データの録画を開始する。
【００８７】
なお、サーバ装置１００において録画対象の動画データの送信元を異なるカメラ２００又は２５０に切り替えていくことに限定されるものではない。例えば、乗り物の進路において、同じカメラの撮影対象エリアを再度通過する場合、又は、同じコースを２周するような場合には、同一のカメラの動画データが用いられてもよく、乗り物が通過する回数に応じて当該カメラの向き又は倍率を変えて別カメラのように用いられてもよい。
【００８８】
サーバ装置１００（管理装置１５０）は、撮影対象エリア２１０−２（降車位置）への乗り物の侵入を検出すると、再び、ユーザが保持するビーコンから送信される位置情報に基づいて、ユーザの撮影対象エリアへの侵入の検出を開始する（つまり、乗り物の進入の検出を終了する）。また、サーバ装置１００は、当該ユーザの映像記録情報から乗り物ＩＤを削除する。
【００８９】
なお、バリエーション１では、サーバ装置１００が、ユーザが保持するビーコンから送信される位置情報に基づいてユーザが施設の乗車位置に位置するか否かを判断する場合について説明したが、これに限定されるものではない。例えば、ユーザが施設を利用する際に、ユーザを特定するコード（例えば、端末装置３００に表示されるバーコード等）を乗車位置に設けられた読み取り装置が読み取ることにより、サーバ装置１００は、ユーザが施設を利用すること（つまり、乗り物の侵入検出への切替）を判断してもよい。
【００９０】
また、バリエーション１では、ユーザが移動する進路が予め設定されているので、サーバ装置１００は、乗り物（ユーザ）の現在位置に対応するカメラ２５０に限らず、乗り物の現在位置に対応するカメラ２５０から次の移動先に対応するカメラ２５０から送信される動画データを録画してもよい。
【００９１】
つまり、サーバ装置１００は、動画データ及び音声データを取得中に、乗り物が施設内の撮影対象エリア間を移動する前に、移動元の撮影対象エリアに対応するカメラ２５０から送信される動画データの録画を停止し、移動先の撮影対象エリアに対応するカメラ２５０から送信される動画データの録画を開始してもよい。
【００９２】
これにより、乗り物の移動先のカメラ２５０は、当該移動先の撮影対象エリアにユーザが侵入する瞬間を待ち構えてユーザを撮影することができる。このようにして移動先のカメラ２５０の動画データを使用することにより、サーバ装置１００は、当該移動先の撮影対象エリアへ侵入する瞬間のユーザの表情が撮影されたビデオを作成することが可能となる。
【００９３】
また、バリエーション１では、サーバ装置１００が各カメラ２５０の撮影対象エリアへの乗り物の侵入を検出する場合について説明したが、これに限定されるものではない。例えば、各カメラ２５０の撮影対象エリアにおいて、乗り物の侵入を検出可能なセンサを備え、当該センサによって乗り物が検出された場合、対応するカメラ２５０が動画データをサーバ装置１００へ送信してもよい。また乗り物のビーコンや、センサを用いるのではなく、当該乗り物の運行を管理するシステムから乗り物ＩＤごとの位置情報を用いてもよい。乗り物が所定の進路を移動することより、乗り物の移動先が予め決まっているので、サーバ装置１００は、動画データを録画するカメラ２５０を自動的に切り替えるようにしてもよい。すなわち、サーバ装置１００は、各カメラ２５０から送信される、乗り物が当該カメラ２５０の撮影対象エリアを通過するタイミングにおける動画データを録画する。
【００９４】
また、バリエーション１は、ユーザが乗り物に乗車する施設に限らず、所定の進路をユーザが歩いて移動する施設についても適用することができる。この場合、サーバ装置１００は、上述した乗り物ＩＤの代わりに、ユーザが利用する施設を表す撮影スポットＩＤを映像記録情報として格納すればよい。例えば、サーバ装置１００は、撮影スポットＩＤに対して予め設定されたタイミングによって、ユーザが移動する進路に設けられた撮影対象エリアのカメラ２５０の録画開始及び終了を切り替えてもよい。また、上述したように、サーバ装置１００は、ユーザの現在位置に対応するカメラ２５０に限らず、ユーザの現在位置の次の移動先に対応するカメラ２５０の動画データを録画してもよい。これにより、上述したように、サーバ装置１００は、当該移動先の撮影対象エリアへ侵入する瞬間のユーザの表情が撮影されたビデオを作成することが可能となる。これらの動作は、例えば、上記施設がお化け屋敷のような場合に有効である。
【００９５】
［バリエーション２］
バリエーション２では、複数のユーザを１つのグループにグループ化する場合について説明する。
【００９６】
例えば、行楽施設又は観光地等にグループで来場した複数のユーザのユーザＩＤが１つのグループＩＤによってグループ化される。例えば、入場時においてグループが事前に登録されてもよい。
【００９７】
サーバ装置１００（管理装置１５０）は、映像記録情報の一つとして、各ユーザＩＤとグループＩＤとの対応付けを格納する。図５は、ユーザＩＤとグループＩＤとの対応付けの一例を示す。図５では、ユーザＩＤ＝１〜５がグループＩＤ＝１に対応付けられ、ユーザＩＤ＝６〜８がグループＩＤ＝２に対応付けられ、ユーザＩＤ：１０〜１５がグループＩＤ：３に対応付けられている。また、ユーザＩＤ＝９は、何れのグループＩＤにも対応付けられていない（グループ無し）。
【００９８】
サーバ装置１００において、制御部１０３は、少なくとも、ユーザＩＤと、グループＩＤと、当該ユーザＩＤのユーザが位置するエリアに対応するカメラ２００のエリアＩＤとを含む映像記録情報を、合成部１０４に出力する。
【００９９】
合成部１０４は、各ユーザの映像記録情報を参照して、同一グループに属する複数のユーザが同一の撮影対象エリアに位置する場合には、当該撮影対象エリアで撮影された動画データと、当該撮影対象エリアに位置する所定数のユーザが保持する音声入力装置からそれぞれ送信される音声データと、を合成する。
【０１００】
図６は、同一グループに属するユーザの音声データ及び動画データの合成処理の一例を示す。
【０１０１】
図６では、カメラ２００の撮影対象エリア２１０内に、グループ１に属する２人のユーザ１及びユーザ３が存在している。
【０１０２】
この場合、サーバ装置１００（蓄積装置１６０）は、カメラ２００から送信される動画データと、ユーザ１の音声入力装置から送信される音声データと、ユーザＩＤされる音声データと、を合成する。
【０１０３】
このようにバリエーション２では、サーバ装置１００は、グループ内の複数のユーザのうち、同一の撮影対象エリアへの侵入が検出された所定数のユーザがそれぞれ携行する音声入力装置から送信された音声データと、当該撮影対象エリアに対応するカメラ２００から送信された動画データとを合成して合成データを生成する。そして、サーバ装置１００は、生成した合成データと、所定数のユーザが属するグループのグループＩＤとを関連付けて保存する。なお、サーバ装置１００は、生成した合成データと、所定数のユーザが属するグループのグループＩＤと、所定数のユーザのユーザＩＤと、を関連付けて保存してもよい。
【０１０４】
こうすることで、サーバ装置１００は、グループ内の複数のユーザの音声が明瞭に再生可能となるように、ビデオデータを記録することができる。
【０１０５】
［バリエーション３］
バリエーション３では、上述した方法によって作成されたビデオデータの自動配信方法について説明する。
【０１０６】
バリエーション３では、バリエーション２と同様、複数のユーザがグループ化されている（例えば、図５を参照）。図７は、自動配信処理の一例を示す。図７では、グループ１のユーザ１に対して自動撮影が行われている。また、図７では、グループ１のユーザ３が、ユーザ１が位置する撮影対象エリアとは異なるエリアに位置している。
【０１０７】
サーバ装置１００は、管理装置１５０、蓄積装置１６０に加え、配信装置１７０を備える。配信装置１７０は、グループ内の複数のユーザのうち、或る撮影対象エリアに位置する少なくとも１人のユーザのユーザＩＤに関連付けられた合成データを、上記撮影対象エリアに位置していない他のユーザが携行する再生装置へ配信する。例えば、図７では、配信装置１７０は、蓄積装置１６０に蓄積されたユーザ１のビデオデータを、ユーザ３に自動配信する。
【０１０８】
こうすることで、同一グループの各ユーザが別行動をしている場合に、各ユーザは、他のユーザの様子を確認することができる。例えば、図７に示すユーザ３が他の施設を利用するために長時間待っている際に、ユーザ１の様子を視聴することができるので、待ち時間を楽しむことができる。
【０１０９】
なお、上記では、蓄積装置１６０において既に生成されているビデオデータを他のユーザが視聴する場合について説明したが、これに限定されない。例えば、グループ内のユーザに対して録画が開始されるビデオデータを他のユーザがライブで視聴してもよい。例えば、サーバ装置１００（配信装置１７０）は、グループ１のユーザ１に対して所定の撮影対象エリアにおいて録画開始される場合、当該撮影対象エリア以外に位置するグループ１のユーザ３に対して、ユーザ１に対して録画開始されることを通知する。
【０１１０】
そして、サーバ装置１００は、ユーザ１の音声入力装置から送信される音声データ及びユーザ１が位置するカメラ２００から送信される動画データを用いて生成されるビデオデータをユーザ３へ配信する。また、この際、ユーザ３が、ユーザ１が位置するエリアに対応するカメラ２００を操作して、アングル、拡大／縮小等を制御してもよく、蓄積装置１６０で生成されるビデオデータとは別に、動画像又は静止画像を保存してもよい。
【０１１１】
［バリエーション４］
バリエーション４は、特定エリア（配信エリア）における配信方法について説明する。
【０１１２】
サーバ装置１００（検出部１０２）は、ユーザの撮影対象エリアへの侵入の検出に加え、ユーザの現在位置に基づいて、配信エリアへのユーザの侵入を検出する。
【０１１３】
配信エリアへのユーザの侵入が検出された場合、サーバ装置１００（配信部１７０）は、当該ユーザのユーザＩＤに関連付けられた合成データを、ユーザの侵入が検出された配信エリア内の再生装置（例えばディスプレイ）へ配信する。
【０１１４】
図８は、配信エリアにおける配信処理の一例を示す。配信エリアとして、例えば、施設内のレストランなどが挙げられる。
【０１１５】
図８では、ユーザが配信エリア内に位置している。なお、配信エリアの位置情報は、サーバ装置１００（管理装置１５０）に予め格納されている。また、蓄積装置１６０には、ユーザに対するビデオデータが格納されている。
【０１１６】
サーバ装置１００は、ユーザが保持するビーコンから送信される位置情報に基づいて、当該ユーザが配信エリア内に侵入したことを検出する。そして、サーバ装置１００（配信装置１７０）は、蓄積装置１６０から、配信エリアに侵入したユーザのビデオデータを取得し、ビデオデータを配信エリアに設置されたディスプレイに配信する。
【０１１７】
これにより、ユーザは、配信エリアにおいて、自動配信された自身のビデオを視聴することができる。
【０１１８】
以上、本開示の各実施の形態について説明した。
【０１１９】
なお、上記実施の形態では、自動撮影システム１０におけるユーザの位置情報を、ユーザが保持するビーコンによって特定する場合について説明した。しかし、ユーザの位置情報は、ビーコンによって取得する場合に限定されず、例えば、ＧＰＳ（Global Positioning System）受信機によって受信したＧＰＳデータをユーザの位置情報として用いてもよい。ＧＰＳデータは、ユーザが携行する端末装置３００に備えられたＧＰＳ機能によって取得されてもよい。
【０１２０】
又は、ユーザの現在位置の特定は、各撮影対象エリアにおける顔画像等の画像認識によって行われてもよい。具体的には、入場時にユーザの顔画像が事前に登録され、各カメラ２００は、画像認識処理によって、登録されている顔画像のユーザが撮影対象エリア内に侵入したことを検知した場合、サーバ装置１００へその旨を通知してもよい。サーバ装置１００は、通知したカメラ２００の位置情報を、ユーザの位置情報として用いる。
【０１２１】
また、ユーザの位置情報を特定するものであれば、上述のビーコン、ＧＰＳ又は画像認識に限られるものではなく、またこれらを組み合わせて、位置精度を高めたものでもよい。
【０１２２】
また、上記実施の形態のようにユーザに音声入力装置が貸与される代わりに、ユーザが携行する端末装置３００が備える音声入力装置を用いてもよい。また、ユーザが端末装置３００を使用して音声データの転送、又は、自動撮影に関する操作を行う代わりに、自動撮影システム１０の専用端末をユーザに貸与してもよい。
【０１２３】
また、カメラ２００は固定的に設置される場合に限定されず、カメラ２００は移動可能な装置に備えられるなど移動機能を有してもよい。例えば、自走機能を備えた装置（ロボット等）、又は、小型無人飛行機等の移動装置にカメラ２００が搭載される例が挙げられる。このような移動装置に施設内を巡回させて、当該移動装置に搭載されたカメラ２００の撮影対象エリア２１０に侵入したユーザを撮影させてもよい。すなわち、サーバ装置１００（検出部１０２）は、移動機能を有するカメラの移動に応じて変化する撮影対象エリアに基づいてユーザの侵入を検出してもよい。又は、ユーザの操作によってカメラ２００を搭載した移動装置をユーザが指定する位置（現在位置など）に呼び寄せてもよい。この場合、サーバ装置１００の管理部１０１が保持する当該移動装置に搭載されたカメラ２００の撮影対象エリアが、移動装置の位置情報に基づいて常時変化し、管理されることはいうまでもない。
【０１２４】
また、上記実施の形態では、１つのシーンが、１台のカメラ２００から送信される映像のみで構成される場合を前提に記載しているが、ユーザが複数のカメラの撮影対象エリアに位置している場合には、これら複数のカメラから送信される映像をピクチャーインピクチャーのように合成して蓄積されてもよい。
【０１２５】
また、最終的にユーザに提供される完成ビデオとして、各カメラ２００で撮影された画像のみを用いるのではなく、観光施設が予め用意していた映像と組み合わせて加工・編集された映像を用いてもよい。例えば、ビデオの冒頭等に、予め用意された観光スポットを紹介した映像を挿入してもよく、ユーザがあたかも撮影スポットの世界観の中の一人の登場人物となるかのような画像合成が施されてもよい。
【０１２６】
上述したこれらバリエーションを任意に組み合わせた態様も可能である。
【産業上の利用可能性】
【０１２７】
本開示の一態様は、複数エリアにおける特定ユーザの動画像を自動撮影するシステムに有用である。
【符号の説明】
【０１２８】
１０  自動撮影システム
１００  サーバ装置
１０１  管理部
１０２  検出部
１０３  制御部
１０４  合成部
１０５  蓄積部
１５０  管理装置
１６０  蓄積装置
１７０  配信装置
２００，２５０  カメラ
３００  端末装置
４００  ネットワーク
【図１】
2016171382.tif 000003
【図２】
2016171382.tif 000004
【図３】
2016171382.tif 000005
【図４】
2016171382.tif 000006
【図５】
2016171382.tif 000007
【図６】
2016171382.tif 000008
【図７】
2016171382.tif 000009
【図８】
2016171382.tif 000010